【手続補正書】
【提出日】令和3年3月3日(2021.3.3)
【手続補正１】
【補正対象書類名】特許請求の範囲
【補正対象項目名】全文
【補正方法】変更
【補正の内容】
【特許請求の範囲】
【請求項１】
手術部位に送達するように構成されるグラフトを収容する器具（１００）であって、前記器具が、
長手方向軸を有するホッパー（１００）であって、前記ホッパー（１００）の第一の開口部（１１１）を通してグラフト材料を受け入れるように構成される、ホッパーと、
カバー（１２０）であって、前記カバー（１２０）が第一の位置にある場合前記器具（１００）の内部への妨害されない経路が存在し、前記カバー（１２０）が第二の位置にある場合前記第一の開口部（１１１）が実質的に塞がれて、前記器具（１００）の前記内部への前記経路を実質的に塞ぐように、前記ホッパー（１００）に移動可能に連結される、カバーと、
前記ホッパー（１１０）の第二の開口部（１１２）で前記ホッパー（１１０）に連結されるトランスファーポートであって、前記第二の開口部（１１２）は、前記ホッパー（１１０）からのグラフト材料のための通路を提供する、トランスファーポートと、を備え、
前記ホッパー（１１０）の前記第一の開口部（１１１）が、それを通して前記ホッパー（１１０）に側部装填することができる前記ホッパー（１１０）の長手方向側部に沿って延在し、
前記カバー（１２０）が、前記第一の位置と前記第二の位置との間で前記ホッパー（１１０）の前記長手方向軸の周りを回転可能である、器具。
【請求項２】
前記ホッパー（１１０）が、その長手方向軸に沿って延在する略円筒形状である、請求項１に記載の器具。
【請求項３】
前記カバー（１２０）が、前記カバーが前記第一の位置にある場合、前記ホッパー（１１０）の前記第一の開口部（１１１）の上に配置されるビン（１２５）を含む、請求項１に記載の器具。
【請求項４】
前記トランスファーポートが、グラフト材料がそれを通って前記ホッパー（１１０）から排出される前記ホッパー（１１０）から離れる方向に延在するチューブ（１３０）を含む、請求項１に記載の器具。
【請求項５】
前記チューブ（１３０）が、前記手術部位の組織欠損部内に挿入されるように構成され、前記グラフト材料が通過するように構成されるベベル先端部（１３２）を有する遠位端を含む、請求項４に記載の器具。
【請求項６】
前記チューブ（１３０）が、グラフト材料が前記チューブを通過するとき圧力が解放される一つまたは複数のウィープホール（１３３）を含む、請求項４に記載の器具。
【請求項７】
前記ホッパー（１１０）の前記第二の開口部（１１２）と反対側の前記ホッパー（１１０）の第三の開口部（１１３）を通過し、前記第三の開口部（１１３）、前記ホッパー（１１０）、および前記第二の開口部（１１２）を通って前進し、前記ホッパー（１１０）の内容物を前記第二の開口部（１１２）から押し出すように構成されるプランジャー（１４０）を更に備える、請求項１に記載の器具。
【請求項８】
器具セット（１０００）であって、前記器具セットが、
トランスファーカッター（２００）であって、
前記トランスファーカッター（２００）の遠位端（２０３）を通って開いているキャビティ（２０２）を有する本体（２１０）と、
前記トランスファーカッター（２００）の前記遠位端（２０３）のカッティングチップ（２０５）と、
前記キャビティ（２０２）に集められたグラフトを前記トランスファーカッター（２００）の前記カッティングチップ（２０５）から押し出すように動作可能なグラフトイジェクター（２２０）と、を備える、トランスファーカッターと、
手術部位に送達するように構成されるグラフトを収容し、請求項１から７のいずれか１項に記載の器具（１００）と、を備える、器具セット。
【請求項９】
前記トランスファーカッター（２００）の前記本体（２１０）の前記キャビティ（２０２）が、略円筒形状である、請求項８に記載の器具セット。
【請求項１０】
前記トランスファーカッター（２００）の前記カッティングチップ（２０５）が、ボックスチゼルの構成である、請求項８に記載の器具セット。
【請求項１１】
前記トランスファーカッター（２００）が、前記カバー（１２０）が前記第一の位置にある場合、前記ホッパー（１１０）の前記第一の開口部の上のビン（１２５）と係合して、ドラフトを前記ビン（１２５）の中に送達するように構成される、請求項８に記載の器具セット。
【請求項１２】
前記トランスファーカッター（２００）内に形成されるグラフト材料を操作するように構成される一つまたは複数のグラフトハンドリング器具（４００、１４０００、２４００、３４００）を更に備える、請求項８に記載の器具セット。
【手続補正２】
【補正対象書類名】明細書
【補正対象項目名】０００４
【補正方法】変更
【補正の内容】
【０００４】
先行技術では、患者の血液を注射器に引き込み、血液を金属パンまたはビーカーに搬送することが知られている。ガラス製注射筒または金属棒スターラーを用いて、凝固が起こるまで血液を撹拌する。クロットを形成する時間は、容器とスターラーの材質、サイズ、表面積に依存する。いくつかの方法では、クロットをスターラーから取り除き、ガーゼパッドに移す。次に、クロットを一定の厚さに平坦化し、そして、所望のグラフト形状を作るために切断または成形することができる。このようなクロットを、損傷した組織部位に挿入することができる。半月板の修復のために、このようなクロットは、関節鏡でポータルを通り、患者の脂肪パッドを通過し、半月板の裂け目内にまで運ばれる。このプロセスは、クロットの小さいサイズおよび脆弱な堅さと、組織修復部位へのアクセスに関連する困難さとのと組み合わせによって、非常に技術的に要求が厳しい。米国特許出願公開第2011/092919号明細書は、フィブリンクロットを摘出して分配するための装置に関し、米国特許出願公開第2006/264964号明細書は、グラフト注射組立体に関し、米国特許第5612187号明細書は、血餅溶解時間を決定するデバイスに関し、米国特許第4784607号明細書は、歯科印象注射器に関する。
【手続補正３】
【補正対象書類名】明細書
【補正対象項目名】００３１
【補正方法】変更
【補正の内容】
【００３１】
本発明の実施形態を本開示で詳細に例示および説明してきたが、本開示は例示的であり、特徴を限定するものではないと見なされるべきである。本発明の趣旨に含まれる全ての変更および修正は、本開示の範囲内であると見なされるべきである。
［付記項１］
手術部位に送達するように構成されるグラフトを収容する器具であって、前記器具が、
長手方向軸を有するホッパーであって、前記ホッパーの第一の開口部を通してグラフト材料を受け入れるように構成される、ホッパーと、
カバーであって、前記カバーが第一の位置にある場合前記器具の内部への妨害されない経路が存在し、前記カバーが第二の位置にある場合前記第一の開口部が実質的に塞がれて、前記器具の前記内部への前記経路を実質的に塞ぐように、前記ホッパーに移動可能に連結される、カバーと、
前記ホッパーの第二の開口部で前記ホッパーに連結されるトランスファーポートであって、前記第二の開口部は、前記ホッパーからのグラフト材料のための通路を提供する、トランスファーポートと、を備える、器具。
［付記項２］
前記ホッパーが、その長手方向軸に沿って延在する略円筒形状である、付記項１に記載の器具。
［付記項３］
前記ホッパーの前記第一の開口部が、それを通して前記ホッパーに側部装填することができる前記ホッパーの長手方向側部に沿って延在する、付記項１に記載の器具。
［付記項４］
前記カバーが、前記第一の位置と前記第二の位置との間で前記ホッパーの前記長手方向軸の周りを回転可能である、付記項１に記載の器具。
［付記項５］
前記カバーが、前記カバーが前記第一の位置にある場合、前記ホッパーの前記第一の開口部の上に配置されるビンを含む、付記項１に記載の器具。
［付記項６］
前記トランスファーポートが、グラフト材料がそれを通って前記ホッパーから排出される前記ホッパーから離れる方向に延在するチューブを含む、付記項１に記載の器具。
［付記項７］
前記チューブが、前記手術部位の組織欠損部内に挿入されるように構成され、前記グラフト材料が通過するように構成されるベベル先端部を有する遠位端を含む、付記項６に記載の器具。
［付記項８］
前記チューブが、グラフト材料が前記チューブを通過するとき圧力が解放される一つまたは複数のウィープホールを含む、付記項６に記載の器具。
［付記項９］
前記ホッパーの前記第二の開口部と反対側の前記ホッパーの第三の開口部を通過し、前記第三の開口部、前記ホッパー、および前記第二の開口部を通って前進し、前記ホッパーの内容物を前記第二の開口部から押し出すように構成されるプランジャーを更に備える、付記項１に記載の器具。
［付記項１０］
器具セットであって、前記器具セットが、
トランスファーカッターであって、
前記トランスファーカッターの遠位端を通って開いているキャビティを有する本体と、
前記トランスファーカッターの前記遠位端のカッティングチップと、
前記キャビティに集められたグラフトを前記トランスファーカッターの前記カッティングチップから押し出すように動作可能なグラフトイジェクターと、を備える、トランスファーカッターと、
手術部位に送達するように構成されるグラフトを収容する器具であって、前記器具が、
長手方向軸を有するホッパーであって、前記ホッパーが、前記ホッパーの第一の開口部を通してグラフト材料を受け入れるように構成される、ホッパーと、
閉鎖部および開放部を有するカバーであって、前記開放部が前記第一の開口部と整列し、前記第一の開口部が前記トランスファーカッターとドッキングするように構成される第一の位置に前記カバーがある場合に前記第一の開口部にアクセス可能であり、前記閉鎖部が前記第一の開口部と整列する第二の位置に前記カバーがある場合に前記第一の開口部が塞がれるように、前記カバーは前記ホッパーに移動可能に連結する、カバーと、
前記ホッパーの第二の開口部で前記ホッパーに連結するトランスファーポートであって、前記第二の開口部が、前記ホッパーからのグラフト材料のため通路を提供する、トランスファーポートと、を備える、器具と、を備える、器具セット。
［付記項１１］
前記トランスファーカッターの前記本体の前記キャビティが、略円筒形状である、付記項１０に記載の器具セット。
［付記項１２］
前記トランスファーカッターの前記カッティングチップが、ボックスチゼルの構成である、付記項１０に記載の器具セット。
［付記項１３］
前記トランスファーカッターが、前記カバーが前記第一の位置にある場合、前記ホッパーの前記第一の開口部の上のビンと係合して、ドラフトを前記ビンの中に送達するように構成される、付記項１０に記載の器具セット。
［付記項１４］
前記ホッパーの前記第二の開口部と反対側の前記ホッパーの第三の開口部を通過し、前記第三の開口部、前記ホッパー、および前記第二の開口部を通って進み、前記ホッパーの内容物を前記第二の開口部から押し出すように構成されるプランジャーを更に備える、付記項１０に記載の器具セット。
［付記項１５］
前記トランスファーカッター内に形成されるグラフト材料を操作するように構成される一つまたは複数のグラフトハンドリング器具を更に備える、付記項１０に記載の器具セット。
［付記項１６］
グラフト材料を手術部位に送達する方法であって、
血液凝固成分を含む血液成分からグラフト材料を収集することと、
前記収集されたグラフト材料を、組織治癒を促進させるために手術部位内に挿入するのに好適な形状に形成することと、
前記グラフト材料を収容する器具のホッパー内に前記グラフト材料を配置することであって、前記グラフト材料は前記ホッパーの第一の開口部を通して配置される、配置することと、
前記ホッパーの前記第一の開口部を閉じることと、
前記ホッパーの前記第一の開口部が閉じられた後、前記グラフト材料を手術部位に送達するために前記グラフト材料を前記ホッパーの第二の開口部を通して前記ホッパーから搬送することと、を含む、方法。
［付記項１７］
前記ホッパーの前記第一の開口部を閉じる動作が、閉鎖部と開放部とを備えるカバーを、前記カバーの前記開放部が前記ホッパーの前記第一の開口部と整列する第一の位置から、前記カバーの前記閉鎖部が前記ホッパーの前記第一の開口部と整列する第二の位置へ移動させることを含む、付記項１６に記載の方法。
［付記項１８］
前記ホッパーの前記第一の開口部を閉じる動作が、前記カバーを前記ホッパーに対して実質的に回転方向に動かすことを含む、付記項１７に記載の方法。
［付記項１９］
前記ホッパーの前記第一の開口部を閉じる動作が、前記ホッパーの前記第一の開口部を覆うために、前記ホッパーの長手方向軸に沿ってカバーを移動させることを含む、付記項１７に記載の方法。